(57)【要約】  【課題】カップ式自動販売機の貯氷量演算装置に関して、自動販売機の周囲の温度状況や機械の個体差等により、実際の貯氷量と演算貯氷量の誤差が大きく、氷が残っていない状態で販売を行ったり、氷が残っている状態で飲料の販売ができなかったりすることによる商品販売機会を逃すことの回避を図る。  【解決手段】主制御部１と、製氷機制御部２と、一定時間を計数するタイマー３と、一定時間が経過した場合の氷の融解量を記憶するタイマー用融解量記憶手段４と、演算した貯氷量を記憶しておく演算貯氷量記憶手段５と、演算制御部６ａとしたことにより、タイマー３にて一定時間が経過した場合、タイマー用融解量記憶手段４のデータにより融解量を決定し、その融解量にて貯氷量を演算することで、実際の貯氷量と演算貯氷量の誤差を少なくし、商品販売機会を逃すことを少なくすることができる。【選択図】図１
2005128825.tif 000002
【特許請求の範囲】
【請求項１】
貨幣検出選別、商品販売制御、販売情報記憶等、カップ式自動販売機全体を制御する主制御部と、製氷機の製氷動作の制御を行う製氷機制御部と、一定時間を計数するタイマーと、演算した貯氷量を記憶しておく演算貯氷量記憶手段と、一定時間が経過した場合の氷の融解量を記憶するタイマー用融解量記憶手段と、前記主制御部と前記製氷機制御部と前記タイマーと前記演算貯氷量記憶手段と前記タイマー用融解量記憶手段に接続された演算制御部からなり、前記演算制御部は、前記タイマーにて一定時間が経過した場合、前記タイマー用融解量記憶手段のデータにより融解量を決定し、その融解量にて貯氷量を補正し、前記演算貯氷量記憶手段に記憶することを特徴とした自動販売機の貯氷量演算装置。
【請求項２】
貨幣検出選別、商品販売制御、販売情報記憶等、カップ式自動販売機全体を制御する主制御部と、製氷機の製氷動作の制御を行う製氷機制御部と、一定時間を計数するタイマーと、外気温を検知する外気温検知手段と、演算した貯氷量を記憶しておく演算貯氷量記憶手段と、外気温毎に一定時間経過した場合の氷の融解量を記憶するタイマー・外気温用融解量記憶手段と、前記主制御部と前記製氷機制御部と前記タイマーと前記外気温検知手段と前記演算貯氷量記憶手段と前記タイマー・外気温用融解量記憶手段に接続された演算制御部からなり、前記演算制御部は、前記タイマーにて一定時間が経過した場合、前記外気温検知手段にて検知した外気温を基に、前記タイマー・外気温用融解量記憶手段により融解量を決定し、その融解量にて貯氷量を補正し、前記演算貯氷量記憶手段に記憶することを特徴とした自動販売機の貯氷量演算装置。
【請求項３】
貨幣検出選別、商品販売制御、販売情報記憶等、カップ式自動販売機全体を制御する主制御部と、製氷機の製氷動作の制御を行う製氷機制御部と、一定時間を計数するタイマーと、外気温を検知する外気温検知手段と、演算した貯氷量を記憶しておく演算貯氷量記憶手段と、外気温毎および貯氷量毎に一定時間が経過した場合の融解量を記憶するタイマー・外気温・貯氷量用融解量記憶手段と、前記主制御部と前記製氷機制御部と前記タイマーと前記外気温検知手段と前記演算貯氷量記憶手段と前記タイマー・外気温・貯氷量用融解量記憶手段に接続された演算制御部からなり、前記演算制御部は、前記タイマーにて一定時間が経過した場合、前記外気温検知手段にて検知した外気温および前記演算貯氷量記憶手段のデータを基に、前記タイマー・外気温・貯氷量用融解量記憶手段により融解量を決定し、その融解量にて貯氷量を補正し、前記演算貯氷量記憶手段に記憶することを特徴とした自動販売機の貯氷量演算装置。
【請求項４】
オペレーターが融解量のレベルを選択できる融解レベル選択手段と、レベル毎の融解量を記憶しておく選択融解量記憶手段を備え、前記演算制御部は、前記融解レベル選択手段のデータを基に、前記選択融解量記憶手段により融解量を決定し、その融解量にて貯氷量を補正し、前記演算貯氷量記憶手段に記憶する請求項１から請求項３のいずれか一項に記載の自動販売機の貯氷量演算装置。
【請求項５】
外気温毎に一回の製氷量を記憶しておく製氷量記憶手段を備え、前記演算制御部は、前記製氷機制御部にて製氷動作を行う場合、前記製氷量記憶手段のデータにより外気温毎の製氷量を決定し、その製氷量にて貯氷量を補正し、前記演算貯氷量記憶手段に記憶する請求項１から請求項４のいずれか一項に記載の自動販売機の貯氷量演算装置。
【請求項６】
外気温毎に一回の氷の吐出量を記憶しておく氷吐出量記憶手段を備え、前記演算制御部は、前記氷吐出量記憶手段のデータにより外気温毎の吐出量を決定し、その吐出量にて貯氷量を補正し、前記演算貯氷量記憶手段に記憶する請求項１から請求項５のいずれか一項に記載の自動販売機の貯氷量演算装置。
【発明の詳細な説明】
【技術分野】
【０００１】
本発明は、自動販売機における貯氷量演算装置に関するものである。
【背景技術】
【０００２】
従来の自動販売機における貯氷量演算装置には、水温センサにより検知した水
温に基づいて、製氷機の製氷能力を決定し、そのデータにより貯氷量を補正する
装置について開示したもの（例えば、特許文献１参照）がある。
【特許文献１】実開昭６３−３５１７８号公報
【発明の開示】
【発明が解決しようとする課題】
【０００３】
しかしながら、上記従来の構成は、単に製氷時の水温を検知して貯氷量を補正する自動販売機の貯氷量演算装置であり、自動販売機の周囲温度状況や機械の個体差等により、実際の貯氷量と演算貯氷量の誤差が大きく、氷が残っていない状態で販売を行ったり、氷が残っている状態で飲料の販売ができなかったりすることにより、商品販売機会を逃してしまうという課題を有していた。
【０００４】
本発明は、上記課題に鑑み、自動販売機の周囲温度状況等、その時々に応じた要素を考慮し、従来と比べ、さらに実際の貯氷量と演算貯氷量の誤差を少なくすることで商品販売機会を逃すことを少なくすることを目的としている。
【課題を解決するための手段】
【０００５】
本発明は、貨幣検出選別、商品販売制御、販売情報記憶等、カップ式自動販売機全体を制御する主制御部と、製氷機の製氷動作の制御を行う製氷機制御部と、一定時間を計数するタイマーと、演算した貯氷量を記憶しておく演算貯氷量記憶手段と、一定時間が経過した場合の氷の融解量を記憶するタイマー用融解量記憶手段と、前記主制御部と前記製氷機制御部と前記タイマーと前記演算貯氷量記憶手段と前記タイマー用融解量記憶手段に接続された演算制御部からなり、前記演算制御部は、前記タイマーにて一定時間が経過した場合、前記タイマー用融解量記憶手段のデータにより融解量を決定し、その融解量にて貯氷量を補正し、前記演算貯氷量記憶手段に記憶して、経過時間による氷の融解量を考慮することで、実際の貯氷量と演算貯氷量の誤差を少なくする。
【０００６】
また、本発明は、貨幣検出選別、商品販売制御、販売情報記憶等、カップ式自動販売機全体を制御する主制御部と、製氷機の製氷動作の制御を行う製氷機制御部と、一定時間を計数するタイマーと、外気温を検知する外気温検知手段と、演算した貯氷量を記憶しておく演算貯氷量記憶手段と、外気温毎に一定時間経過した場合の氷の融解量を記憶するタイマー・外気温用融解量記憶手段と、前記主制御部と前記製氷機制御部と前記タイマーと前記外気温検知手段と前記演算貯氷量記憶手段と前記タイマー・外気温用融解量記憶手段に接続された演算制御部からなり、前記演算制御部は、前記タイマーにて一定時間が経過した場合、前記外気温検知手段にて検知して外気温を基に、前記タイマー・外気温用融解量記憶手段により融解量を決定し、その融解量にて貯氷量を補正し、前記演算貯氷量記憶手段に記憶して、経過時間による氷の融解量に加え、自動販売機の周囲温度の違いによる氷の融解量を考慮することで、さらに実際の貯氷量と演算貯氷量の誤差を少なくする。
【０００７】
また、本発明は、貨幣検出選別、商品販売制御、販売情報記憶等、カップ式自動販売機全体を制御する主制御部と、製氷機の製氷動作の制御を行う製氷機制御部と、一定時間を計数するタイマーと、外気温を検知する外気温検知手段と、演算した貯氷量を記憶してお
く演算貯氷量記憶手段と、外気温毎および貯氷量毎に一定時間が経過した場合の融解量を記憶するタイマー・外気温・貯氷量用融解量記憶手段と、前記主制御部と前記製氷機制御部と前記タイマーと前記外気温検知手段と前記演算貯氷量記憶手段と前記タイマー・外気温・貯氷量用融解量記憶手段に接続された演算制御部からなり、前記演算制御部は、前記タイマーにて一定時間が経過した場合、前記外気温検知手段にて検知した外気温および前記演算貯氷量記憶手段のデータを基に、前記タイマー・外気温・貯氷量用融解量記憶手段により融解量を決定し、その融解量にて貯氷量を補正し、前記演算貯氷量記憶手段に記憶して、経過時間による氷の融解量に加え、自動販売機の周囲温度の違いによる氷の融解量および、貯氷量の多少による氷の融解量を考慮することで、さらに実際の貯氷量と演算貯氷量の誤差を少なくする。
【発明の効果】
【０００８】
以上説明したように本発明は、貨幣検出選別、商品販売制御、販売情報記憶等、カップ式自動販売機全体を制御する主制御部と、製氷機の製氷動作の制御を行う製氷機制御部と、一定時間を計数するタイマーと、演算した貯氷量を記憶しておく演算貯氷量記憶手段と、一定時間が経過した場合の氷の融解量を記憶するタイマー用融解量記憶手段と、前記主制御部と前記製氷機制御部と前記タイマーと前記演算貯氷量記憶手段と前記タイマー用融解量記憶手段に接続された演算制御部からなり、前記演算制御部は前記タイマーにて一定時間が経過した場合、前記タイマー用融解量記憶手段のデータにより融解量を決定し、その融解量にて貯氷量を補正し、前記演算貯氷量記憶手段に記憶して、経過時間による氷の融解量を考慮することで、実際の貯氷量と演算貯氷量の誤差を少なくし、商品販売機会を逃すことを少なくすることができる。
【０００９】
また、J本発明は、貨幣検出選別、商品販売制御、販売情報記憶等、カップ式自動販売機全体を制御する主制御部と、製氷機の製氷動作の制御を行う製氷機制御部と、一定時間を計数するタイマーと、外気温を検知する外気温検知手段と、演算した貯氷量を記憶しておく演算貯氷量記憶手段と、外気温毎に一定時間経過した場合の氷の融解量を記憶するタイマー・外気温用融解量記憶手段と、前記主制御部と前記製氷機制御部と前記タイマーと前記外気温検知手段と前記演算貯氷量記憶手段と前記タイマー・外気温用融解量記憶手段に接続された演算制御部からなり、前記演算制御部は前記タイマーにて一定時間が経過した場合、前記外気温検知手段にて検知した外気温を基に、前記タイマー・外気温用融解量記憶手段により融解量を決定し、その融解量にて貯氷量を補正し、前記演算貯氷量記憶手段に記憶して、経過時間による氷の融解量に加え、自動販売機の周囲温度の違いによる氷の融解量を考慮することで、実際の貯氷量と演算貯氷量の誤差を少なくし、商品販売機会を逃すことを少なくすることができる。
【００１０】
また、本発明は、貨幣検出選別、商品販売制御、販売情報記憶等、カップ式自動販売機全体を制御する主制御部と、製氷機の製氷動作の制御を行う製氷機制御部と、一定時間を計数するタイマーと、外気温を検知する外気温検知手段と、演算した貯氷量を記憶しておく演算貯氷量記憶手段と、外気温毎および貯氷量毎に一定時間が経過した場合の融解量を記憶するタイマー・外気温・貯氷量用融解量記憶手段と、前記主制御部と前記製氷機制御部と前記タイマーと前記外気温検知手段と前記演算貯氷量記憶手段と前記タイマー・外気温・貯氷量用融解量記憶手段に接続された演算制御部からなり、前記演算制御部は前記タイマーにて一定時間が経過した場合、前記外気温検知手段にて検知した外気温および前記演算貯氷量記憶手段のデータを基に、前記タイマー・外気温・貯氷量用融解量記憶手段により融解量を決定し、その融解量にて貯氷量を補正し、前記演算貯氷量記憶手段に記憶して、経過時間による氷の融解量に加え、自動販売機の周囲温度の違いによる氷の融解量および、貯氷量の多少による氷の融解量を考慮することで、さらに実際の貯氷量と演算貯氷量の誤差を少なくし、商品販売機会を逃すことを少なくすることができる。
【発明を実施するための最良の形態】
【００１１】
本発明の請求項１に記載の発明は、貨幣検出選別、商品販売制御、販売情報記憶等、カップ式自動販売機全体を制御する主制御部と、製氷機の製氷動作の制御を行う製氷機制御部と、一定時間を計数するタイマーと、演算した貯氷量を記憶しておく演算貯氷量記憶手段と、一定時間が経過した場合の氷の融解量を記憶するタイマー用融解量記憶手段と、前記主制御部と前記製氷機制御部と前記タイマーと前記演算貯氷量記憶手段と前記タイマー用融解量記憶手段に接続された演算制御部からなり、前記演算制御部は、前記タイマーにて一定時間が経過した場合、前記タイマー用融解量記憶手段のデータにより融解量を決定し、その融解量にて貯氷量を補正し、前記演算貯氷量記憶手段に記憶して、経過時間による氷の融解量を考慮することで、実際の貯氷量と演算貯氷量の誤差を少なくする。
【００１２】
本発明の請求項２に記載の発明は、貨幣検出選別、商品販売制御、販売情報記憶等、カップ式自動販売機全体を制御する主制御部と、製氷機の製氷動作の制御を行う製氷機制御部と、一定時間を計数するタイマーと、外気温を検知する外気温検知手段と、演算した貯氷量を記憶しておく演算貯氷量記憶手段と、外気温毎に一定時間経過した場合の氷の融解量を記憶するタイマー・外気温用融解量記憶手段と、前記主制御部と前記製氷機制御部と前記タイマーと前記外気温検知手段と前記演算貯氷量記憶手段と前記タイマー・外気温用融解量記憶手段に接続された演算制御部からなり、前記演算制御部は、前記タイマーにて一定時間が経過した場合、前記外気温検知手段にて検知して外気温を基に、前記タイマー・外気温用融解量記憶手段により融解量を決定し、その融解量にて貯氷量を補正し、前記演算貯氷量記憶手段に記憶して、経過時間による氷の融解量に加え、自動販売機の周囲温度の違いによる氷の融解量を考慮することで、さらに実際の貯氷量と演算貯氷量の誤差を少なくする。
【００１３】
本発明の請求項３に記載の発明は、貨幣検出選別、商品販売制御、販売情報記憶等、カップ式自動販売機全体を制御する主制御部と、製氷機の製氷動作の制御を行う製氷機制御部と、一定時間を計数するタイマーと、外気温を検知する外気温検知手段と、演算した貯氷量を記憶しておく演算貯氷量記憶手段と、外気温毎および貯氷量毎に一定時間が経過した場合の融解量を記憶するタイマー・外気温・貯氷量用融解量記憶手段と、前記主制御部と前記製氷機制御部と前記タイマーと前記外気温検知手段と前記演算貯氷量記憶手段と前記タイマー・外気温・貯氷量用融解量記憶手段に接続された演算制御部からなり、前記演算制御部は、前記タイマーにて一定時間が経過した場合、前記外気温検知手段にて検知した外気温および前記演算貯氷量記憶手段のデータを基に、前記タイマー・外気温・貯氷量用融解量記憶手段により融解量を決定し、その融解量にて貯氷量を補正し、前記演算貯氷量記憶手段に記憶して、経過時間による氷の融解量に加え、自動販売機の周囲温度の違いによる氷の融解量および、貯氷量の多少による氷の融解量を考慮することで、さらに実際の貯氷量と演算貯氷量の誤差を少なくする。
【００１４】
本発明の請求項４に記載の発明は、請求項１から請求項３のいずれか一項に記載の発明に、さらに、オペレーターが融解量のレベルを選択できる融解レベル選択手段と、レベル毎の融解量を記憶しておく選択融解量記憶手段を備え、前記演算制御部は、前記融解レベル選択手段のデータを基に、前記選択融解量記憶手段により融解量を決定し、その融解量にて貯氷量を補正し、前記演算貯氷量記憶手段に記憶して、経過時間による氷の融解量、自動販売機の周囲温度の違いによる氷の融解量、貯氷量の多少による氷の融解量だけでなく、機械の個体差等により違いが生じる融解量を考慮することで、さらに実際の貯氷量と演算貯氷量の誤差を少なくする。
【００１５】
本発明の請求項５に記載の発明は、請求項１から請求項４のいずれか一項に記載の発明に、さらに外気温毎に一回の製氷量を記憶しておく製氷量記憶手段を備え、前記演算制御部は、前記製氷機制御部にて製氷動作を行う場合、前記製氷量記憶手段のデータにより外
気温毎の製氷量を決定し、その製氷量にて貯氷量を補正し、前記演算貯氷量記憶手段に記憶して、氷の融解量だけでなく製氷量を考慮することで、さらに実際の貯氷量と演算貯氷量の誤差を少なくする。
【００１６】
本発明の請求項６に記載の発明は、請求項１から請求項５のいずれか一項に記載の発明に、さらに外気温毎に一回の氷の吐出量を記憶しておく氷吐出量記憶手段を備え、前記演算制御部は、前記氷吐出量記憶手段のデータにより外気温毎の吐出量を決定し、その吐出量にて貯氷量を補正し、前記演算貯氷量記憶手段に記憶して、氷の融解量、製氷量だけでなく氷の吐出量を考慮することで、さらに実際の貯氷量と演算貯氷量の誤差を少なくする。
【００１７】
以下、本発明の自動販売機の貯氷量演算装置の実施の形態について、図面を参照しながら説明する。
【００１８】
（実施の形態１）
図１は本発明の実施の形態１による自動販売機の貯氷量演算装置の機能ブロック図である。図２は、同実施の形態の動作を示すフローチャートである。
【００１９】
図１において、主制御部１はカップ式自動販売機全体を制御し、製氷機制御部２は製氷機の製氷動作を行う。タイマー３は一定時間を計数し、タイマー用融解量記憶手段４はタイマー３のデータをもとに演算された融解量を記憶する。演算貯氷量記憶手段５は演算した貯氷量を記憶しておき、演算制御部６ａはタイマー３にて一定時間が経過した場合、タイマー用融解量記憶手段４のデータにより融解量を決定し、その融解量にて貯氷量を補正し、演算貯氷量記憶手段６に記憶する。
【００２０】
以上のように構成されたカップ式自動販売機の貯氷量演算装置について、以下その動作を説明する。
【００２１】
タイマー３により一定時間が経過したかどうかを判別し、一定時間が経過していなければ終了、経過していれば、タイマー用融解量記憶手段４のデータにより融解量を決定する（ＳＴＥＰ１）。次に、演算貯氷量記憶手段５よりデータを取得し、そのデータから決定された融解量を引いたデータを演算貯氷量記憶手段５に記憶させ（ＳＴＥＰ２）、タイマー３をリセットする（ＳＴＥＰ３）。
【００２２】
以上のように本実施の形態のカップ式自動販売機の貯氷量演算装置によれば、経過時間による氷の融解量を考慮することで、さらに実際の貯氷量と演算貯氷量の誤差を少なくすることができる。
【００２３】
（実施の形態２）
図３は本発明の実施の形態２による自動販売機の貯氷量演算装置の機能ブロック図である。図４は、同実施の形態の動作を示すフローチャートである。なお実施の形態１と同一構成のものは、同一符号を付してその詳細な説明を省略する。
【００２４】
図３において，外気温検知手段７は外気温を検知し、タイマー・外気温用融解量記憶手段８は外気温毎に一定時間経過した場合の氷の融解量を記憶する。演算制御部６ｂはタイマー３にて一定時間が経過した場合、外気温検知手段７にて検知した外気温を基に、タイマー・外気温用融解量記憶手段８により融解量を決定し、その融解量にて貯氷量を補正し、演算貯氷量記憶手段５に記憶する。
【００２５】
以上のように構成されたカップ式自動販売機の貯氷量演算装置について、以下その動作
を説明する。
【００２６】
タイマー３により一定時間が経過したかどうかを判別し、一定時間が経過していなければ終了（ＳＴＥＰ４）、経過していれば、外気温検知手段７により外気温を検知し、タイマー・外気温用融解量記憶手段８のデータにより融解量を決定する（ＳＴＥＰ５）。次に、演算貯氷量記憶手段５よりデータを取得し、その値から決定された融解量を引いたデータを演算貯氷量記憶手段５に記憶させ（ＳＴＥＰ６）、タイマー３をリセットする（ＳＴＥＰ７）。
【００２７】
以上のように本実施の形態のカップ式自動販売機の貯氷量演算装置によれば、経過時間による氷の融解量に加え、自動販売機の周囲温度の違いによる氷の融解量を考慮することで、さらに実際の貯氷量と演算貯氷量の誤差を少なくすることができる。
【００２８】
（実施の形態３）
図５は本発明の実施の形態３による自動販売機の貯氷量演算装置の機能ブロック図である。図６は、同実施の形態の動作を示すフローチャートである。なお実施の形態１または実施の形態２と同一構成のものは、同一符号を付してその詳細な説明を省略する。
【００２９】
図５において，タイマー・外気温・貯氷量用融解量記憶手段９は外気温毎および貯氷量毎に一定時間が経過した場合の融解量を記憶し、演算制御部６ｃはタイマー３にて一定時間が経過した場合、外気温検知手段７にて検知した外気温および演算貯氷量記憶手段５のデータを基に、タイマー・外気温・貯氷量用融解量記憶手段９により融解量を決定し、その融解量にて貯氷量を補正し、演算貯氷量記憶手段５に記憶する。
【００３０】
以上のように構成されたカップ式自動販売機の貯氷量演算装置について、以下その動作を説明する。
【００３１】
タイマー３により一定時間が経過したかどうかを判別し、一定時間が経過していなければ終了（ＳＴＥＰ８）、経過していれば、外気温検知手段７により外気温を検知し（ＳＴＥＰ９）、演算貯氷量記憶手段５から演算貯氷量データを取得し、タイマー・外気温・貯氷量用融解量記憶手段９のデータにより融解量を決定する（ＳＴＥＰ１０）。次に、演算貯氷量記憶手段５よりデータを取得し、その値から決定された融解量を引いたデータを演算貯氷量記憶手段５に記憶させ（ＳＴＥＰ１１）、タイマー３をリセットする（ＳＴＥＰ１２）。
【００３２】
以上のように本実施の形態のカップ式自動販売機の貯氷量演算装置によれば、経過時間による氷の融解量に加え、自動販売機の周囲温度の違いによる氷の融解量および、貯氷量の多少による氷の融解量を考慮することで、さらに実際の貯氷量と演算貯氷量の誤差を少なくすることができる。
【００３３】
（実施の形態４）
図７は本発明の実施の形態４による自動販売機の貯氷量演算装置の機能ブロッ
ク図である。図８は、同実施の形態の動作を示すフローチャートである。なお実施の形態１から実施の形態３と同一構成のものは、同一符号を付してその詳細な説明を省略する。
【００３４】
図７において，融解レベル選択手段１０はオペレーターが融解量のレベルを任意に選択でき、選択融解量記憶手段１１は融解レベル選択手段により決定された融解量を記憶しておく。演算制御部６ｄは融解レベル選択手段のデータを基に、選択融解量記憶手段１１により融解量を決定し、その融解量にて貯氷量を補正し、演算貯氷量記憶手段５に記憶する。
【００３５】
以上のように構成されたカップ式自動販売機の貯氷量演算装置について、以下その動作を説明する。
【００３６】
融解レベル選択手段１１によりレベルが設定されたかどうかを判別し、設定されていなければ、ＳＴＥＰ１５へ（ＳＴＥＰ１３）、設定されていれば、融解レベルを変更し、選択融解量記憶手段１１のデータにより融解補正量を決定する（ＳＴＥＰ１４）。そして、タイマー３により一定時間が経過したかどうかを判別し、一定時間が経過していなければ終了（ＳＴＥＰ１５）、経過していれば、外気温検知手段７により外気温を検知し（ＳＴＥＰ１６）、演算貯氷量記憶手段５から演算貯氷量データを取得し、タイマー・外気温・貯氷量用融解量記憶手段９のデータにより融解量を決定する（ＳＴＥＰ１７）。次に、演算貯氷量記憶手段５よりデータを取得し、その値から決定された融解量および融解補正量を引いたデータを演算貯氷量記憶手段５に記憶させ（ＳＴＥＰ１８）、タイマー３をリセットする（ＳＴＥＰ１９）。
【００３７】
以上のように本実施の形態のカップ式自動販売機の貯氷量演算装置によれば、経過時間による氷の融解量、自動販売機の周囲温度の違いによる氷の融解量、貯氷量の多少による氷の融解量だけでなく、融解レベル選択手段１０により、機械の個体差等により違いが生じる融解量を考慮することで、さらに実際の貯氷量と演算貯氷量の誤差を少なくすることができる。
【００３８】
（実施の形態５）
図９は本発明の実施の形態５による自動販売機の貯氷量演算装置の機能ブロック図である。図１０は、同実施の形態の動作を示すフローチャートである。なお実施の形態１から実施の形態４と同一構成のものは、同一符号を付してその詳細な説明を省略する。
【００３９】
図９において、製氷量記憶手段１２は外気温毎に一回の製氷量を記憶し、演算制御部６ｅは製氷機制御部２にて製氷動作を行う場合、製氷量記憶手段１２のデータにより外気温毎の製氷量を決定し、その製氷量にて貯氷量を補正し、演算貯氷量記憶手段５に記憶する。
【００４０】
以上のように構成されたカップ式自動販売機の貯氷量演算装置について、以下その動作を説明する。
【００４１】
製氷機制御部２において、製氷動作が行われているかどうかを判別し、行われていなければＳＴＥＰ２３へ（ＳＴＥＰ２０）、行われていれば、外気温検知手段７により外気温を検知し（ＳＴＥＰ２１）、演算貯氷量記憶手段５から演算貯氷量データを取得し、外気温データを基に製氷量記憶手段１２のデータにより製氷量を決定し、貯氷量を演算して演算貯氷量記憶手段５に記憶させる。（ＳＴＥＰ２２）。そして、タイマー３により一定時間が経過したかどうかを判別し、一定時間が経過していなければ終了（ＳＴＥＰ２３）、経過していれば、外気温検知手段７により外気温を検知し（ＳＴＥＰ２４）、演算貯氷量記憶手段５から演算貯氷量データを取得し、タイマー・外気温・貯氷量用融解量記憶手段９のデータにより融解量を決定する（ＳＴＥＰ２５）。次に、演算貯氷量記憶手段５よりデータを取得し、その値から決定された融解量を引いたデータを演算貯氷量記憶手段５に記憶させ（ＳＴＥＰ２６）、タイマー３をリセットする（ＳＴＥＰ２７）。
【００４２】
以上のように本実施の形態のカップ式自動販売機の貯氷量演算装置によれば、
氷の融解量だけでなく製氷量を考慮することで、さらに実際の貯氷量と演算貯氷量の誤差を少なくすることができる。
【００４３】
（実施の形態６）
図１１は本発明の実施の形態６による自動販売機の貯氷量演算装置の機能ブロック図である。図１２は、同実施の形態の動作を示すフローチャートである。なお実施の形態１から実施の形態５と同一構成のものは、同一符号を付してその詳細な説明を省略する。
【００４４】
図１１において、氷吐出量記憶手段１３は外気温毎に一回の氷の吐出量を記憶し、演算制御部６ｆは氷吐出量記憶手段１３のデータにより外気温毎の吐出量を決定し、その吐出量にて貯氷量を補正し、前記演算貯氷量記憶手段に５記憶する。
【００４５】
以上のように構成されたカップ式自動販売機の貯氷量演算装置について、以下その動作を説明する。
【００４６】
氷の吐出動作が行われたかどうかを判別し、行われていなければ、ＳＴＥＰ３１へ（ＳＴＥＰ２８）、行われていれば、外気温検知手段７により外気温を検知し（ＳＴＥＰ２９）、演算貯氷量記憶手段５から演算貯氷量データを取得し、外気温データを基に吐出量記憶手段１３のデータにより吐出量を決定し、貯氷量を演算して演算貯氷量記憶手段に記憶させる（ＳＴＥＰ３０）。そして、タイマー３により一定時間が経過したかどうかを判別し、一定時間が経過していなければ終了（ＳＴＥＰ３１）、経過していれば、外気温検知手段７により外気温を検知し（ＳＴＥＰ３２）、演算貯氷量記憶手段５から演算貯氷量データを取得し、タイマー・外気温・貯氷量用融解量記憶手段９のデータにより融解量を決定する（ＳＴＥＰ３３）。次に、演算貯氷量記憶手段５よりデータを取得し、その値から決定された融解量を引いたデータを演算貯氷量記憶手段５に記憶させ（ＳＴＥＰ３４）、タイマー３をリセットする（ＳＴＥＰ３５）。
【００４７】
以上のように本実施の形態のカップ式自動販売機の貯氷量演算装置によれば、
氷の融解量、製氷量だけでなく氷の吐出量を考慮することで、さらに実際の貯氷量と演算貯氷量の誤差を少なくすることができる。
【産業上の利用可能性】
【００４８】
以上のように本発明は、実際の貯氷量と演算貯氷量の誤差を少なくし、商品販売機会を逃すことを少なくすることができるので、カップ式の自動販売機を始めとして、氷を供給する機構を備えた機器、設備の分野で有効に適用できる。
【図面の簡単な説明】
【００４９】
【図１】本発明による自動販売機の貯氷量演算装置の実施の形態１の機能ブロック図
【図２】同実施の形態による自動販売機の貯氷量演算装置の動作を示すフローチャート
【図３】本発明による自動販売機の貯氷量演算装置の実施の形態２の機能ブロック図
【図４】同実施の形態による自動販売機の貯氷量演算装置の動作を示すフローチャート
【図５】本発明による自動販売機の貯氷量演算装置の実施の形態３の機能ブロック図
【図６】同実施の形態による自動販売機の貯氷量演算装置の動作を示すフローチャート
【図７】本発明による自動販売機の貯氷量演算装置の実施の形態４の機能ブロック図
【図８】同実施の形態による自動販売機の貯氷量演算装置の動作を示すフローチャート
【図９】本発明による自動販売機の貯氷量演算装置の実施の形態５の機能ブロック図
【図１０】同実施の形態による自動販売機の貯氷量演算装置の動作を示すフローチャート
【図１１】本発明による自動販売機の貯氷量演算装置の実施の形態６の機能ブロック図
【図１２】同実施の形態による自動販売機の貯氷量演算装置の動作を示すフローチャート
【符号の説明】
【００５０】
１    主制御部
２    製氷機制御部
３    タイマー
４    タイマー用融解量記憶手段
５    演算貯氷量記憶手段
６ａ、６ｂ、６ｃ、６ｄ、６ｅ、６ｆ    演算制御部
７    外気温検知手段
８    タイマー・外気温用融解量記憶手段
９    タイマー・外気温・貯氷量用融解量記憶手段
１０    融解レベル選択手段
１１    選択融解量記憶手段
１２    製氷量記憶手段
１３    氷吐出量記憶手段
【図１】
2005128825.tif 000003
【図２】
2005128825.tif 000004
【図３】
2005128825.tif 000005
【図４】
2005128825.tif 000006
【図５】
2005128825.tif 000007
【図６】
2005128825.tif 000008
【図７】
2005128825.tif 000009
【図８】
2005128825.tif 000010
【図９】
2005128825.tif 000011
【図１０】
2005128825.tif 000012
【図１１】
2005128825.tif 000013
【図１２】
2005128825.tif 000014